(57)【要約】  肢ライナー（12）を人工補綴物（18）に結合するシステム。人工補綴物（18）は、ハブアセンブリ（34）を用いて人工補綴物（18）の残りの部分に結合されたソケット（16）を有する。ハブアセンブリ（34）には、第1のハブ（32）と第2のハブ（33）が含まれている。第1のハブ（32）は、ソケット（16）の内部に配置される。第2のハブ（33）は、ソケット（16）の内部の外側に配置されている。空気路（36）は、空気をソケット（16）内に引き込み、および/またはソケット（16）から通気することを可能にするハブアセンブリ（34）を通って延びている。膨らますことができるインタフェース（22）は、ソケット（16）内に配置されている。膨らますことのできるインタフェース（22）は、ハブアセンブリ（34）の空気路（36）を通って空気を受け取る。膨らますことのできるインタフェース（22）は、肢を切断した人が着用している肢ライナー（12）とソケット（16）との間に存在する可能性のある隙間を埋めることができる。
2019509163.tif 000002
【特許請求の範囲】
【請求項１】
肢を切断した人が着用した肢ライナーを人工補綴物のソケットに結合するシステムであって、
肢を切断した人が着用する肢ライナーを受けるような大きさのソケットを有する人工補綴物であって、前記ソケットは、開かれた上部と、底部と、前記開かれた上部を介してアクセス可能な内部とを有し、
前記ソケットの前記内部に配置された、前記ソケットとはセパレートで別個である第１のハブと、
前記ソケットの前記内部の外に配置された、前記ソケットとはセパレートで別個である第２のハブとを備え、前記第１のハブと前記第２のハブとが前記ソケットの底部を介して、機械的締結具で結合されてハブアセンブリを形成する、システム。
【請求項２】
前記第1のハブは第1のポートを有し、前記第2のハブは第2のポートを有し、前記第１のハブと前記第２のハブが結合されたとき、前記ハブアセンブリは、前記第1のポートから前記第2のポートに至る空気路を規定する、請求項１に記載のシステム。
【請求項３】
前記ソケットの内部の膨らますことができるインタフェースをさらに備え、前記膨らますことができるインタフェースは、前記空気路を流れる空気によって選択的に膨張する、請求項２に記載のシステム。
【請求項４】
前記空気路を通って、前記膨らますことができるインタフェースに空気を供給する空気ポンプをさらに備えた、請求項３に記載のシステム。
【請求項５】
前記空気路を通って、空気を吸う真空ポンプをさらに備えた、請求項２に記載のシステム。
【請求項６】
前記膨らますことができるインタフェースは、前記ソケットの前記内部と前記肢ライナーとの間に介在する、請求項３に記載のシステム。
【請求項７】
前記膨らますことができるインタフェースは、前記第1のハブに取り付けられる、請求項３に記載のシステム。
【請求項８】
前記ソケットの前記底部にリリーフが形成され、前記第1のハブは、前記リリーフ内に位置する、請求項1に記載のシステム。
【請求項９】
前記肢ライナーは、そこから伸びるロッキングピンを有し、前記ハブアセンブリは、前記ロッキングピンを受け入れるための受入部を有する、請求項８に記載のシステム。
【請求項１０】
肢を切断した人の残存肢に人工補綴物を接合するためのシステムであって、前記システムは、
前記残存肢に着用される肢ライナーと、
前記肢ライナーを受入れるための大きさのソケットを備えた人工補綴物であって、前記ソケットは、開かれた上部と、前記開かれた上部とは反対側の底部と、前記開かれた上部から前記底部に延びる内部とを有し、
前記ソケットの底部に結合されたハブアセンブリであって、前記ハブアセンブリは、前記ソケットの外側から前記ソケットの内部に通じる空気路を規定し、
前記ソケットと、前記肢ライナーとの間に位置する、膨らますことができるインタフェースであって、前記膨らますことができるインタフェースは、前記空気路を介して選択的に膨張する、システム。
【請求項１１】
前記空気路を通って、前記膨らますことができるインタフェースに空気を供給する空気ポンプをさらに備えた、請求項１０に記載のシステム。
【請求項１２】
前記膨らますことができるインタフェースは、前記ハブアセンブリに取り付けられている、請求項１１に記載のシステム。
【請求項１３】
前記ハブアセンブリは、前記ソケットの前記内部に配置された第１のハブと、前記ソケットの外部にある第2のハブとを含み、前記第1のハブおよび前記第2のハブは機械的締結具で結合されている、請求項１０に記載のシステム。
【請求項１４】
前記ソケットの前記底部にリリーフが形成され、前記第1のハブが前記リリーフ内に位置する、請求項１３に記載のシステム。
【請求項１５】
前記肢ライナーはそこから伸びるロッキングピンを有し、前記ハブアセンブリは前記ロッキングピンを受け入れるための受入部を有する、請求項１１に記載のシステム。
【請求項１６】
肢ライナーで肢に着用される人工補綴物であって、前記人工補綴物は、
補綴の足と、
前記補綴の足から伸びるシャフトであって、前記シャフトは第1のハブにおいて前記補綴の足から離れて末端となり、
開かれた上部と、底部と、前記開かれた上部を介してアクセス可能な内部とを有するソケットと、
前記ソケットの前記内部に配置された第2のハブとを備え、
前記第1のハブと前記第2のハブは、前記ソケットの前記底部を通って機械的な締結具で結合されてハブアセンブリを形成し、
前記第1のハブは第1のポートを有し、前記第2のハブは第2のポートを有し、前記ハブアセンブリは、前記第1のハブと前記第2のハブが結合されたときに、前記第1のポートから前記第2のポートに至る空気路を定義する、人工補綴物。
【請求項１７】
前記ソケットの前記内部の膨らますことができるインタフェースをさらに含み、前記膨らますことができるインタフェースは、前記空気路を流れる空気によって選択的に膨張する、請求項１６に記載のシステム。
【請求項１８】
前記空気路を介して前記膨らますことができるインタフェースに空気を供給する空気ポンプをさらに含む、請求項１７に記載のシステム。
【請求項１９】
前記空気路を通って空気を吸引する真空ポンプをさらに含む、請求項１６に記載のシステム。
【請求項２０】
前記膨らますことができるインタフェースにガスを供給する、前記シャフトに連結された圧縮ガス源をさらに含む、請求項１７に記載のシステム。
【発明の詳細な説明】
【技術分野】
【０００１】
一般に、本発明は、部分的に切断された肢と肢人工補綴物との界面で、真空を発生させたり、膨らませることができるライナーを膨らませたりするための空気制御システムに関する。特に、本発明は、このような空気制御システムの構造と、肢人工補綴物に関連する構造に関する。
【背景技術】
【０００２】
切断された肢や部分的に切断された肢を持つ多くの人々は、より活発な生活を送るために補綴学に頼っている。人が肢人工補綴物を装着するときは、肢ライナーを装着することもできる。肢ライナーは通常、体に残っている肢の部分に装着される。肢ライナーは、残存肢に被せられるエラストマーの装置である。ライナーは残存肢の形に合っており、残存肢の皮膚に強い摩擦結合を作る。多くの場合、金属ロッキングピンが、肢ライナーの先端から伸びている。ロッキングピンは、補綴の肢が肢ライナーと接合するときに、補綴の肢を係合するために使用される。このように、肢ライナーは、肢人工補綴物を残存肢に留めるためのアンカーとして機能する。
【０００３】
肢人工補綴物を製造するには、肢ライナーを装着した状態で、まず肢ライナーのキャストが取られる。キャストは、ソケットを作るために使われる。そのソケットは、肢人工補綴物に取付けられる。肢人工補綴物のソケットは、肢ライナーと接続する人工補綴物の部分であり、肢ライナーとその下にある残存肢の形状に適合している。このように、肢人工補綴物は肢ライナーと残存肢に適切にフィットする。
【０００４】
一般に、肢を切断した人は、長年にわたって補綴の肢を保持している。この間、肢を切断した人は、体重を増やしたり、体重を減らしたり、筋肉量を減らしたり、他の生理学的変化を起こすことがある。さらに、肢を切断した人は、水分を保持したり、肢がむくんだり、他の身体的変化を起こして、切断残存肢の大きさが変わることがある。残存肢の大きさや輪郭が変化すると、肢ライナーの形状も変化する。その結果、補綴の肢の中で、肢ライナーの形状がソケットの形状と一致しなくなることがある。この形状の不一致は、肢ライナーと人工補綴物のソケットとの間に隙間を生じさせる可能性がある。この隙間によって、人工補綴物があるときにはゆるく、あるときには過度に窮屈に感じられる可能性がある。さらに、この隙間は、残存肢に対して擦り傷を起こすことによって身体的不快感を引き起こす可能性がある。
【０００５】
従来技術では、肢ライナーと肢人工補綴物との間の隙間を埋めるために、ファブリックベースのライナーソックスが着用されてきた。先行技術のライナーソックスは、基本的に肢ライナー上に着用される編み物または織物のソックスである。ライナーソックスは、肢ライナーと肢人工補綴物との接触点で圧縮される。ライナーソックスは、隙間のある領域ではさほど圧縮されない。したがって、ライナーソックスは、肢ライナーと人工補綴物の間の隙間を埋めるのに役立つ。
【０００６】
隙間を埋めるための編まれた又は織られた靴下の能力は、典型的には幅1/32インチ未満の隙間に限定される。より大きな隙間が存在する状況では、肢を切断した人は、通常、ゲルライナーまたは編み上げられた靴下の重ね履きに向かう。ゲルライナーは、エラストマー素材から成形された靴下である。人工補綴物のソケットに肢ライナーを挿入すると、これらのゲルライナーは肢ライナーの周りに装着される。このようなゲルライナーに関連する問題は、妥協の1つである。人工補綴物のソケットは、肢ライナーの型から作られている。したがって、これらの2つの部材は、非常に近い形状になる傾向がある。肢を切断した人の残存肢が何らかの生理的変化を起こすと、その変化は局在化する可能性がある。つまり、肢を切断した人の残存肢の特定の部分だけが変化し、大部分は比較的同じままである。ゲルライナーや複数のソックスを使用すると、その詰め物が肢ライナー全体に太さを加える。したがって、適切にフィットする肢ライナーの部分が、今度はきつくなる。多くの状況で、ゲルライナーによる不快感は、その利点を上回る。従って、ゲルライナーは薄くされているが、隙間を埋めることができないほど薄くもない。この妥協は、いくつかの別々の箇所において、ゲルライナーをしばしばルーズすぎるようにするか、またはタイトすぎるようにする。
【０００７】
ゲルライナーの欠点は、真空結合のような空気制御のインタフェースを使用することや、膨らますことのできるライナーを使用することで回避できる。従来技術では、切断された肢と人工補綴物との間での使用のために、いくつかの膨らませることができるライナーが発明されている。膨らますことのできるライナーは、残存肢と人工補綴物との調整可能なインタフェースを提供するために、選択的に膨らませることができる。フィリップスの空気袋システムを有するソケットインサートと題された、ＵＳ特許出願公開文献2003/0078674、および、フィリップスの空気袋システムを有するソケットインサートと題された、ＵＳ特許出願公開文献2003/0181990の双方において、膨らますことのできる空気袋システムが開示されており、膨らますことのできる空気袋は、補綴のソケットの一部として形成されている。これらの参考文献では、ソケットのいくつかの部分だけに空気袋を提供している。したがって、空気袋が、肢を切断した人の肢と、補綴のソケットとの間に存在する可能性のある隙間を埋めるという保証はない。
【０００８】
シェーンの空気圧利用の補綴のインサートと題された、米国特許第5,156,629号、およびフェイの膨らませることのできる補綴のライナーと題された、米国特許第5,387,245号には、膨らませることのできる肢ライナーが開示されている。これらの膨らませることのできる肢ライナーは、その周りに人工補綴物のソケットを成形したエラストマー肢ライナーの代わりになるように設計されている。エラストマー肢ライナーを排除することで、膨らむことのできる肢ライナー用の空間が作られる。
【０００９】
肢を切断した人達の間で理解されるように、残存肢は、患者から患者へと形状および輪郭が大きく異なる。これが人工補綴物のソケットが肢ライナーにカスタム成形されている理由である。肢ライナーを単一サイズの膨らませることのできるライナーに取り替えることで、残存肢と肢を切断した人の多くの補綴ソケットとの間に、高品質の相互接続を作り出すことは不可能である。さらに、膨らませることのできる肢ライナーは、コネクターピンを支えるための物理的構造が欠けている。コネクターピンは、肢ライナーと補綴の肢との間で最も強い機械的相互接続を作り出す。コネクターピンがなければ、肢を切断した人の多くは、通常の日常活動中に、補綴の肢を身体に付けたままにすることができない。
【発明の概要】
【発明が解決しようとする課題】
【００１０】
したがって、新しいタイプの空気制御インターフェースへのニーズが存在している。それは、補綴の肢ソケットと、コネクターピンを有する肢ライナーとの間で、空気を除いたり、または空気を追加するように設計される。この空気制御のインタフェースは、肢人工補綴物と相互接続する肢ライナーピンの能力に悪影響を及ぼさない。このニーズは、以下に記載され、クレームされる本発明によって満たされる。
【課題を解決するための手段】
【００１１】
本発明は人工補綴物であり、肢を切断した人が着用した肢ライナーを人工補綴物に結びつけるためのシステムである。人工補綴物には、肢を切断した人が着用している肢ライナーを受け入れる大きさのソケットがある。このソケットには開かれた上部、底部、そして開かれた上部を通してアクセス可能な内部がある。このソケットは、ハブアセンブリを使って人工補綴物の残りの部分に結合されている。ハブアセンブリには、相互に結合される第1のハブと第2のハブが含まれている。第1のハブは、ソケットの内部に配置され、好ましくはソケットとは別個であり、セパレートである。第1のハブは、ソケットの底に形成されたリリーフの中にある。
【００１２】
第2のハブは、ソケットの内部の外に配置されている。第2のハブもまた、好ましくは、ソケットとは別個であり、セパレートである。第1のハブと第2のハブは、ソケットの底を介してメカニカルファスナーで結合され、ハブアセンブリを形成する。
【００１３】
空気路はハブアセンブリを通って延びており、空気をソケットに引き込むことができ、および／または、ソケットから排気することができる。膨らますことのできるインタフェースが、ソケット内に配置されている。膨らますことができるインタフェースは、ハブアセンブリの空気路を通って空気を受け取る。膨らますことのできるインタフェースは、肢を切断した人が着用している肢ライナーとそのソケットとの間に存在する可能性のある隙間を埋めることができる。
【図面の簡単な説明】
【００１４】
本発明をより良く理解するために、添付の図面と併せて考慮される、その例示的な実施形態の以下の説明が参照される。
【図１】図1は、肢を切断した人の人工補綴物の分解図であり、肢ライナー、人工補綴物、および膨らますことができるインタフェースを含むマウンティングシステムの分解図である。
【図２】図2は、組み立てた状態で示した、図1の実施形態の選択的断面図である。
【図３】図3は、マウンティングシステムの別の実施形態の選択的断面図であり、ここでは膨らますことができるインタフェースが離された別個の要素である。
【図４】図4は、真空ポンプが利用される、マウンティングシステムの他の実施形態の選択的な断面図である。
【図５】図5は、膨らますことのできるインタフェースが、肢ライナーの一部として組み込まれた、マウンティングシステムの別の実施形態の選択的断面図である。
【図６】図6は、圧縮空気源、及びリモートコントロールが利用されるマウンティングシステムの他の実施形態の選択的断面図である。
【発明を実施するための形態】
【００１５】
本発明のインタフェースは、腕人工補綴物または大腿脚人工補綴物で使用するために具現化することができるが、図示の実施形態は、下腿脚人工補綴物に使用されるインタフェースを示している。この実施形態は、本発明のために企図される最良の形態を説明するために選択される。しかしながら、例示された実施形態は単なる例示であり、特許請求の範囲を解釈する際に限定とみなされるべきではない。
【００１６】
図1および図2を参照して、肢を切断した人の残存肢10が示されている。残存肢10には、従来のフィッティング技法を用いて、エラストマーの肢ライナー12が装備されている。肢ライナー12は、残存肢10を覆っている。コネクターピン14は、肢ライナー12の底部から延びている。コネクターピン14は、肢ライナー12を肢人工補綴物18のソケット16と相互接続するために使用される。
【００１７】
肢人工補綴物18は、製造者のモデルや肢を切断した人のニーズに応じて、多くの形をとりうる。肢人工補綴物18は、肢ライナー12に囲まれた肢を切断した人の残存肢10を受けるためのソケット16を備えている。典型的には、ソケット16は、肢ライナー12を装着して、肢を切断した人の残存肢10の型を取ることによって製造される。従って、ソケット16は、残存肢10に装着された状態の肢ライナー12の外形とほぼ同一の内形状を有している。主な違いは、肢ライナー12の底に形成された円盤状のハブリリーフ20である。
【００１８】
膨らますことのできるインタフェース22が設けられている。膨らますことができるインタフェース22の目的は、人工補綴物18のソケット16と肢ライナー12との間に形成されるあらゆる隙間を補うことである。このようにして、肢ライナー12は、着用時に常にソケット16内で固定されているように感じられる。膨らますことができるインタフェース22は、外層26と内層28とを有する。外層26と内層28との間には、膨らますことのできるギャップ27が存在する。膨らますことのできるギャップ27は、隙間27内の空気圧に応じて選択的に伸縮することができる。膨らますことのできるギャップ27は、空にもなりうる。しかし、好ましい実施形態では、連続気泡発泡体29の層を外層26と内層28との間に挿入することができる。このようにすると、膨らますことのできるギャップ27は、大気圧に換気されたときに連続気泡発泡体29の形状に膨張する。これにより、膨らますことのできるギャップ27に、膨らますことができるギャップ27を大気に換気することで自己膨張する能力を付与する。
【００１９】
膨らますことができるインタフェース22は、開かれた上部30と閉じた底部31を有する。開かれた上部30は、肢ライナー12を受け入れる。コククターピン14の通過のための小さな開口部を除いて、膨らますことのできるインタフェース22の反対側の閉じた底部31は、閉じられている。
【００２０】
膨らますことのできるインタフェース22の閉ざされた底部31には、上部膨張ハブ33が膨らますことのできるインタフェース22に取付けられている。上部膨張ハブ33は、肢ライナー12の底部に成形された円盤状のハブリリーフ20内に適合するように寸法決めされている。このようにして、上部膨張ハブ33の存在は、ソケット16内の肢ライナー12のフィットを妨害しない。
【００２１】
図示されている肢人工補綴物18は足人工補綴物であり、シャフト19は補綴の足21から延びている。シャフト19は、ソケット16を支持する。下部膨張ハブ32は、ソケット16の下の肢人工補綴物18のサポートシャフト19にしっかりと固定されている。下部膨張ハブ32は、上部膨出ハブ33に直にしっかりと固着されており、上部膨出ハブ33と下部膨張ハブ32との間に気密シールが形成されており、ソケット16と膨らますことのできるインタフェース22の両者の部分がその間に介在している。また、肢ライナー12のロッキングピン14を受け入れるために、上部膨脹ハブ33と下部膨脹ハブ32の両方に中央穴37が形成されている。
【００２２】
上部膨張ハブ33と下部拡張ハブ32とは、機械的にネジやボルト等で接合され、ハブアセンブリ34を構成している。ハブアセンブリ34は、中央穴37内にコネクタピン14を係合、解放するためのロック機構35を含む。またハブアセンブリ34は、エアインテークポート38とエアアウトレットポート39との間に延びる内部空気路36を規定する。エアインテークポート38は、上部膨張ハブ33にあり、エアアウトレットポート39は、下部膨張ハブ32にある。内部空気路36は、ハブアセンブリ34を通り、膨らますことのできるインタフェース22内の膨らますことのできるギャップ27に導かれる。
【００２３】
内部空気路36に通じるエアインテークポート38には、外部空気ポンプ40が取り付けられている。外部空気ポンプ40は、作動されると、ハブアセンブリ34に空気を導入することができる。ハブアセンブリ34に導入された空気は、ハブアセンブリ34の内部空気路36に入り、膨らますことのできるインタフェース22内の膨らますことのできるギャップ27に達する。このように、膨らますことのできるインタフェース22は、外部空気ポンプ40が空気をハブアセンブリ34に汲み上げるときに膨張する。
【００２４】
肢を切断した人が、人工補綴物18のソケット16があまりにも緩いように感じると、肢を切断した人はハブアセンブリ34にもっと空気を送り込むだけでよい。膨らますことができるインタフェース22が広がって、存在する隙間を埋めるので、膨らますことができるインタフェース22が太くなり、肢ライナー12のフィットがより強くなる。
【００２５】
図１および図２の実施形態では、上部膨張ハブ33は、膨らますことのできるインタフェース22に接続されている。これが事実である必要はない。別の構成を図３に示す。図３を参照して、変形例の肢ライナー42が示されている。上部膨張ハブ44が肢ライナー42の構造に組み込まれている。肢ライナー42にはロッキングピン46がある。ロッキングピン46は、上部膨張ハブ44を通過するか、または上部膨脹ハブ44から伸びる。
【００２６】
選択的に膨らませたり収縮させることができる、膨らますことができるインタフェース48が設けられている。膨らますことのできるインタフェース48は、上部膨張ハブ44には取り付けられていない。膨らますことのできるインタフェース48は、ソケット16の内部に取り付けることができるし、スタンドアロンコンポーネントでも良い。
【００２７】
下部膨張ハブ49が提供される。下部膨張ハブ49は、上部膨張ハブ44にボルト止めされて完全なハブアセンブリ50を形成する。一旦相互に接続されると、膨らますことのできるインタフェース48の一部が、上部膨脹ハブ44と下部膨脹ハブ49との間でロックされる。
【００２８】
外部空気ポンプ40に取り付けられたエアインテークポート52が設けられている。外部空気ポンプ40は、動作されると、膨らますことのできるインタフェース48に空気を導入することができる。導入された空気はエアインテークポート52に入り、膨らますことができるインタフェース48を広げる。肢を切断した人が、人工補綴物18のソケット16があまりにも緩いかのように感じると、肢を切断した人はもっと空気を送り込むだけでよい。膨らますことのインタフェース48が広がって、存在する隙間を埋めるので、膨らますことができるインタフェース48がより太くなり、肢ライナー42のフィットがよりタイトになる。
【００２９】
図4を参照すると、本発明の別の実施形態が示されている。この実施形態では、膨らますことのできるインタフェースは使用されない。むしろ、上部膨張ハブ56および下部膨張ハブ58は、その中に完全なハブアセンブリ60を形成するソケット16に直接接合されている。ハブアセンブリ60は、先の実施形態の空気ポンプではなく、真空ポンプ62に結合される。このようにして、真空ポンプ62は、ソケット16内から空気を吸引することができる。これにより、ソケット16と肢ライナー12との間に低圧領域が形成され、肢ライナー12を適所にホールドするのに役立つ。
【００３０】
図5を参照すると、本発明の別の実施形態が示されている。この実施形態では、肢ライナー72の構造に一体化された、膨らますことができるインタフェース70が設けられている。上部膨張ハブ74は、肢ライナー72と膨らますことができるインタフェース70に接続されている。ソケット16には、下部膨脹ハブ76が取り付けられている。上部膨張ハブ74と下部膨張ハブ76が一体となって完全なハブアセンブリ78を形成する。上部膨張ハブ74と下部膨張ハブ76とが直接接合されると、エアインテークポート82から膨らますことのできるインタフェース70の内部に至る完全な内部空気路80を形成する。エイインテークテンポート82には、空気ポンプ40から空気が供給される。
【００３１】
肢を切断した人が、ソケット16があまりにも緩いかのように感じたら、肢を切断した人は、膨らますことのできるインタフェース70にもっと空気を送り込むだけでよい。膨らますことのインタフェース70が広がって、存在する隙間を埋めるので、膨らますことができるインタフェース70が太くなり、肢ライナー72のフィットがさらに強くなる。
【００３２】
図6を参照すると、ハブアセンブリ94を使用して、ソケット90がシャフト92上に支持されている実施形態が提示されている。ハブアセンブリ94は、図１に示す実施形態で事前に説明したのと同じ方法で相互接続する、上部膨脹ハブ96および下部膨脹ハブ98を有する。本実施形態では、圧縮ガス源100が設けられている。圧縮ガス源100は、バッテリ駆動式空気圧縮機、人工補綴物の移動によって動力を供給される機械式空気圧縮機、または12グラムCO2カートリッジなどの圧縮ガスカートリッジとすることができる。いずれにせよ、圧縮ガス源100は、ガスの流れの供給を提供することができる。
【００３３】
圧縮ガス源100によって生成されたガスは、内部の管102を通ってバルブ制御ユニット104に送られる。バルブ制御ユニット104には、第1のバルブ106が含まれており、膨らますことができるインタフェース108に出入りするガスの流れを制御する。バルブ制御ユニット104は、バルブ制御ボタンを用いて手動で制御することができる。ただし、本実施形態では、バルブ制御ユニット104は、リモコン110によって制御されている。リモコン110は、増圧コントロール112と減圧コントロール114とを有する。コントロール112,114を押すことにより、ユーザは膨らますことができるインタフェース108を選択的に膨張または収縮させることができる。
【００３４】
図示の実施形態では、バルブ制御ユニット104は、また、ベントスペース116に接続されている。ベントスペース116は、膨らますことのできるインタフェース108を包囲するソケット90内に配置されている。バルブ制御ユニット104が、ベントスペース116へのガスの流れを指示すると、ガスの流れは、ソケット90を冷却するように作用する。これは、肢ライナー12と、肢ライナー12内の残存肢を冷やす。この冷却サイクルは、リモートコントローラ110上のベントコントロール118を使用して開始することもできる。
【００３５】
例示および記載された本発明の実施形態は単なる例示であり、当業者はそれらの実施形態に多くの変更を加えることができることが理解される。例えば、インタフェースの形状は、多くの異なる種類の肢を切断した人の肢に適合するために、大きく変化し得る。さらに、従来の技術では、多数のベントコンロールと小型のマニュアル空気ポンプが存在する。これらの設計の多くは、空気ポンプや真空ポンプの代わりに、本発明での使用に適応させることができる。そのような実施形態の全ては、特許請求の範囲によって規定される本発明の範囲内に含まれることが意図されている。
【図１】
2019509163.tif 000003
【図２】
2019509163.tif 000004
【図３】
2019509163.tif 000005
【図４】
2019509163.tif 000006
【図５】
2019509163.tif 000007
【図６】
2019509163.tif 000008
【国際調査報告】
2019509163.tif 000009